(57)【特許請求の範囲】
【請求項１】
パネル基材内に電気ヒータが内蔵された床暖房パネルにおいて、
前記電気ヒータに電気的に接続された状態で前記パネル基材の所定位置を横断する接続電源線と、
前記電気ヒータに対して電気的に絶縁され、前記接続電源線の横断位置とは異なる所定位置で前記パネル基材を横断する中継電源線と
を備えている床暖房パネル。
【請求項２】
前記接続電源線及び前記中継電源線の両端部にそれぞれコネクタが接続されている請求項１に記載の床暖房パネル。
【請求項３】
パネル基材内に電気ヒータが内蔵された床暖房パネルにおいて、
前記電気ヒータに電気的に接続された状態で前記パネル基材の所定位置を横断して前記パネル基材の一方の側縁から少なくとも前記パネル基材の横断長さ分だけ余分に延び出した延長部分を有する接続電源線と、
前記パネル基材の所定位置を横断するように前記パネル基材に形成された、隣接する床暖房パネルの前記接続電源線の延長部分を収容する収容溝と
を備えている床暖房パネル。
【請求項４】
前記接続電源線の両端部にそれぞれコネクタが接続されている請求項３に記載の床暖房パネル。
【発明の詳細な説明】
【０００１】
【発明の属する技術分野】
この発明は、パネル基材に電気ヒータが内蔵された床仕上材一体型の床暖房パネルに関する。
【０００２】
【従来の技術及び発明が解決しようとする課題】
床仕上材として使用される床仕上材一体型の床暖房パネルは、図６（ａ）に示すように、通常、表面に突板等の表面仕上材が貼着されたパネル基材５１と、このパネル基材５１に内蔵される面状発熱体や線ヒータ等の電気ヒータ５２と、この電気ヒータ５２に電気的に接続された状態でパネル基材５１の内部をその幅方向に横断する接続電源線５３と、この接続電源線５３の両端部に接続されたコネクタ５４とを備えており、複数の床暖房パネル５０を、前記コネクタ５４を介して電気ヒータ５２を相互に接続しながら床下地材の上に順次敷設していくことで床暖房フロアが施工される。
【０００３】
ところで、こういった床暖房パネル５０を用いて床暖房フロアを施工する場合において、隣接する床暖房パネル５０同士を完全に整列させた状態、即ち隣接する床暖房パネル５０の目地を揃えるような状態で敷設していくのであれば、特に問題はないが、通常は、図６（ｃ）に示すように、隣接する床暖房パネルの目地が揃わないように、隣接する床暖房パネルを交互にずらしながら敷設していくのが一般的であるので、図６（ａ）に示す床暖房パネル５０以外に、同図（ｂ）に示すように、床暖房パネル５０と外観上同じであるが、接続電源線５３の位置が異なる床暖房パネル５０ａを別途製造しておかなければならず、床暖房パネル自体の製造コストが高くなると共に数多くの在庫を抱えなければならないといった問題があった。
【０００４】
また、上述したような２種類の床暖房パネル５０、５０ａを用いて床暖房フロアを施工する場合は、２種類の床暖房パネル５０、５０ａの配列を予め決定しておかなければ、必要な各床暖房パネル５０、５０ａの枚数をそれぞれ正確に把握することができないので、床暖房パネルを発注する場合に手間がかかるといった問題があると共に、施工者が２種類の床暖房パネル５０、５０ａを適宜識別しながら交互に敷設しなければならないので、施工効率が低下するといった問題がある。
【０００５】
そこで、この発明の課題は、複数種類の床暖房パネルを用いることなく、目地が揃わないように敷設することのできる床暖房パネルを提供することにある。
【０００６】
【課題を解決するための手段及びその効果】
上記の課題を解決するため、請求項１に記載の発明は、パネル基材内に電気ヒータが内蔵された床暖房パネルにおいて、前記電気ヒータに電気的に接続された状態で前記パネル基材の所定位置を横断する接続電源線と、前記電気ヒータに対して電気的に絶縁され、前記接続電源線の横断位置とは異なる所定位置で前記パネル基材を横断する中継電源線とを備えている床暖房パネルを提供するものである。
【０００７】
以上のように構成された床暖房パネルでは、目地が揃わないように、隣接する床暖房パネルをずらしながら敷設する場合に、隣接する一方の床暖房パネルの接続電源線と他方の床暖房パネルの中継電源線とが相互に対応するように、接続電源線と中継電源線とをパネル基材内にそれぞれ配置しておくと、隣接する床暖房パネルの接続電源線と中継電源線とを接続することで、１枚おきに敷設される同一並びの床暖房パネル群の各電気ヒータを相互に電気的に接続することができ、従来のように、接続電源線が異なる位置に配設された２種類の床暖房パネルを用いることなく、１種類の床暖房パネルだけで、目地が揃わないような状態に床暖房パネルを敷設することが可能となる。これにより、従来に比べて、床暖房パネル自体の製造コスト及び在庫数の低減を図ることができると共に、床暖房パネルの敷設作業の効率化を図ることができる。
【０００８】
特に、請求項２に記載の床暖房パネルのように、前記接続電源線及び前記中継電源線の両端部にそれぞれコネクタが接続されているものにあっては、接続電源線と中継電源線との接続をコネクタを介して簡単に行うことができるので、床暖房パネルの敷設作業をさらに効率よく行うことができるという効果がある。
【０００９】
また、上記の課題を解決するため、請求項３に記載の発明は、パネル基材内に電気ヒータが内蔵された床暖房パネルにおいて、前記電気ヒータに電気的に接続された状態で前記パネル基材の所定位置を横断して前記パネル基材の一方の側縁から少なくとも前記パネル基材の横断長さ分だけ余分に延び出した延長部分を有する接続電源線と、前記パネル基材の所定位置を横断するように前記パネル基材に形成された、隣接する床暖房パネルの前記接続電源線の延長部分を収容する収容溝とを備えている床暖房パネルを提供するものである。
【００１０】
以上のように構成された床暖房パネルでは、目地が揃わないように、隣接する床暖房パネルをずらしながら敷設する場合に、隣接する一方の床暖房パネルの接続電源線と他方の床暖房パネルの収容溝とが対応するように、接続電源線と収容溝とをパネル基材にそれぞれ配置しておくと、隣接する一方の床暖房パネルの接続電源線の延長部分を他方の床暖房パネルの収容溝に収容すると共に、その延長部分をさらに隣りの床暖房パネルの接続電源線に接続することで、１枚おきに敷設される同一並びの床暖房パネル群の各電気ヒータを相互に電気的に接続することができ、従来のように、接続電源線が異なる位置に配設された２種類の床暖房パネルを用いることなく、１種類の床暖房パネルだけで、目地が揃わないような状態に床暖房パネルを敷設することが可能となる。これにより、従来に比べて、床暖房パネル自体の製造コスト及び在庫数の低減を図ることができると共に、床暖房パネルの敷設作業の効率化を図ることができる。
【００１１】
特に、請求項３に記載の床暖房パネルのように、前記接続電源線の両端部にそれぞれコネクタが接続されているものにあっては、接続電源線同士の接続をコネクタを介して簡単に行うことができるので、床暖房パネルの敷設作業をさらに効率よく行うことができるという効果がある。
【００１２】
【発明の実施の形態】
以下、実施の形態について図面を参照して説明する。図１（ａ）、（ｂ）に示すように、この床暖房パネル１は、厚み１２〜１５ｍｍの３プライ合板や５プライ合板等からなるパネル基材１１と、このパネル基材１１に内蔵される電気ヒータとしての面状発熱体１４と、パネル基材１１の表面に貼着される、厚み０．３ｍｍの突板等からなる表面化粧材１５と、前記面状発熱体１４に電気的に接続された接続電源線１６と、前記面状発熱体１４に対して電気的に絶縁されている中継電源線１７と、前記接続電源線１６及び中継電源線１７の両端部にそれぞれ接続されたコネクタ１８、１９とを備えている。
【００１３】
前記パネル基材１１は、同図（ｂ）に示すように、前記面状発熱体１４を収容するための収容凹部１２ａが形成された基材本体１２と、収容凹部１２ａを閉塞するための蓋板１３とから構成されており、この蓋板１３は、基材本体１２の収容凹部１２ａの周囲に形成された段部１２ｂに嵌め込むことで基材本体１２に装着されるようになっている。
【００１４】
また、前記面状発熱体１４は、基材本体１２の収容凹部１２ａ内に塗布された接着剤によって収容凹部１２ａ内に固着されており、前記蓋板１３は、面状発熱体１４及び基材本体１２に形成された段部に塗布された接着剤によって面状発熱体１４及び基材本体１２に固着されている。
【００１５】
前記接続電源線１６は、パネル基材１１の長手方向の一端側において、面状発熱体１４から伸び出すリード線１４ａに接続され、屈曲した状態でパネル基材１１をその幅方向に横断するように配設されていると共に、前記中継電源線１７は、パネル基材１１の長手方向の略中央部において、パネル基材１１をその幅方向に直線状に横断するように配設されており、両者とも面状発熱体１４に重ね合わされた状態で収容凹部１２ａ内に面状発熱体１４と共に収容されている。
【００１６】
前記コネクタ１８、１９は、前記接続電源線１６及び中継電源線１７の一端側にそれぞれ接続された雌側コネクタ１８ａ、１９ａと、他端側にそれぞれ接続された雄側コネクタ１８ｂ、１９ｂとから構成されており、前記雌側コネクタ１８ａ、１９ａはパネル基材１１の一方の側面側に形成された図示しない切欠部に固着されていると共に、前記雄側コネクタ１８ｂ、１９ｂはパネル基材１１の他方の側面側に形成された図示しない切欠部に引き出し自在に収容されている。
【００１７】
接続電源線１６に接続されたコネクタ１８と中継電源線１７に接続されたコネクタ１９は、図２に示すように、目地が揃わないように短手方向に隣接する床暖房パネル１を相互にずらしながら敷設する際に、隣接する一方の床暖房パネル１のコネクタ１８と他方の床暖房パネル１のコネクタ１９とが対応する位置に設けられており、一方の床暖房パネル１の雌側コネクタ１８ａ、１９ａと、これに隣接する他方の床暖房パネル１の雄側コネクタ１９ｂ、１８ｂとを、それぞれ接続することができるようになっている。なお、雄側コネクタ１８ｂ、１９ｂは、上述したように、パネル基材１１から引き出すことができるようになっているので、雌側コネクタ１８ａ、１９ａとの接続作業も容易に行うことができる。
【００１８】
従って、目地が揃わないように、隣接する床暖房パネル１を相互にずらしながら敷設した場合でも、１枚おきに敷設される同一並びの床暖房パネル群の各面状発熱体１４を接続電源線１６及び中継電源線１７を介して相互に電気的に接続することができ、図６に示すような接続電源線５３が異なる位置に配設された２種類の床暖房パネル５０、５０ａを用いることなく、上述したような１種類の床暖房パネル１だけで、目地が揃わないような状態に床暖房フロアを施工することができる。
【００１９】
これによって、従来のように接続電源線の位置が異なる２種類の床暖房パネルを製造する必要がなくなるので、床暖房パネルの製造コストを抑えることができると共に多数の在庫を抱える必要もなくなる。また、床暖房フロアを施工する場合においても、施工者は１種類の床暖房パネルのみを取り扱えばよいので、床暖房パネルを発注する際の手間が緩和されると共に床暖房パネルの敷設作業を効率的に行うことができる。
【００２０】
図３及び図４は、他の実施形態を示している。この床暖房パネル２も、基本的な構造は、上述した床暖房パネル１と同じであるので、同一構成要素には同一符号を付してその説明を省略し、異なる部分について詳細に説明する。
【００２１】
この床暖房パネル２は、図３（ａ）、（ｂ）に示すように、接続電源線１６に、パネル基材１１の一方の側縁からパネル基材１１の幅方向の長さ分だけ余分に延び出した延長部分１６ａを設けると共に、前記床暖房パネル１に設けられた、両端にコネクタ１９が接続された中継電源線１７に代えて、隣接する床暖房パネル２の接続電源線１６の前記延長部分１６ａを収容する収容溝１１ａを形成した点で、上述した床暖房パネル１とは異なる。なお、この床暖房パネル２では、蓋板１３を分割すると共に基材本体１２に切欠部を形成することによって、収容溝１１ａを形成している。また、この床暖房パネル２における接続電源線１６及び収容溝１１ａは、上述した床暖房パネル１の接続電源線１６及び中継電源線１７と同一の位置に配設してある。
【００２２】
以上のように構成された床暖房パネル２を用いて床暖房フロアを施工する場合、図４に示すように、目地が揃わないように、隣接する床暖房パネル２を相互に所定長さだけずらしながら敷設すると、隣接する一方の床暖房パネル２の接続電源線１６と、他方の床暖房パネル２の収容溝１１ａとが対応する位置にくるので、同図に矢印で示すように、隣接する一方の床暖房パネル２の接続電源線１６の延長部分１６ａを他方の床暖房パネルの収容溝１１ａに収容し、延長部分１６ａの先端に接続されている雄側コネクタ１８ｂを、さらに隣りの床暖房パネル２の接続電源線１６の雌側コネクタ１８ａに接続することで、１枚おきに敷設される同一並びの床暖房パネル群の各面状発熱体１４を相互に電気的に接続することができ、図６に示すような接続電源線５３が異なる位置に配設された２種類の床暖房パネル５０、５０ａを用いることなく、上述したような１種類の床暖房パネル２だけで、目地が揃わないような状態に床暖房フロアを施工することができる。
【００２３】
また、この床暖房パネル２は、上述した床暖房パネル１と異なり、１組のコネクタ１８しか使用していないので、床暖房パネル２の製品コストが低下すると共に、施工時における床暖房パネル２間の電源線の接続箇所も半分になるので、床暖房パネル２の敷設作業をさらに効率よく行うことができるという効果がある。
【００２４】
なお、この実施形態では、パネル基材１１の略全面に面状発熱体１４を設けた床暖房パネル１、２について説明したが、床暖房フロアにおける床暖房エリアの境界部分には、図５（ａ）、（ｂ）、（ｄ）、（ｅ）に示すように、パネル基材１１の半面のみに面状発熱体１４を設けた床暖房パネル１ａ、１ｂ、２ａ、２ｂを使用することもできる。
【００２５】
また、上述した床暖房パネル１を用いて床暖房フロアを施工する場合は、例えば、図５（ｃ）に示すように、上述した床暖房パネル１から面状発熱体１４を削除して接続電源線１６を中継電源線１７ａに代えると共に、一方のコネクタ１９ｂを削除して他方のコネクタ１９ａを中継電源線１７ｂを介して前記中継電源線１７ａに結線した結線用パネル１ｃを使用することにより、各面蒸発熱体１４が相互に電気的に接続された２組の床暖房パネル群を最終的に大きな１つの床暖房パネル群として電気的に接続することができる。
【００２６】
また、上述した各実施形態では、一の接続電源線１６に対して一の中継電源線１７または一の収容溝１１ａを設けているが、一の接続電源線１６に対して複数の中継電源線１７または複数の収容溝１１ａを設けることも可能であり、その場合は、複数枚おきに敷設される同一並びの床暖房パネル群の各面状発熱体１４を相互に電気的に接続することができる。
【００２７】
また、上述した各実施形態では、電気ヒータとして面状発熱体１４を採用しているが、これに限定されるものではなく、線ヒータ等の種々の電気的発熱体を採用することも可能である。
【図面の簡単な説明】
【図１】（ａ）はこの発明にかかる一実施形態である床暖房パネルを裏面側から見た概略平面図、（ｂ）は（ａ）のＸ−Ｘ線に沿った概略断面図である。
【図２】同上の床暖房パネルを敷設した際の接続電源線と中継電源線との接続状態を示す概略平面図である。
【図３】（ａ）はこの発明にかかる他の実施形態である床暖房パネルを裏面側から見た概略平面図、（ｂ）は（ａ）のＹ−Ｙ線に沿った概略断面図である。
【図４】同上の床暖房パネルを敷設した際の接続電源線の接続状態を示す概略平面図である。
【図５】同上の床暖房パネルの変形例等を示す概略平面図である。
【図６】従来例を示す概略平面図である。
【符号の説明】
１、２  床暖房パネル
１１  パネル基材
１１ａ  収容溝
１４  面状発熱体
１６  接続電源線
１６ａ  延長部分
１７  中継電源線
１８、１９  コネクタ
【図１】
0003898352.tif 000002
【図２】
0003898352.tif 000003
【図３】
0003898352.tif 000004
【図４】
0003898352.tif 000005
【図５】
0003898352.tif 000006
【図６】
0003898352.tif 000007